【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
オーディオ信号のハイバンド部分に対して線形予測（ＬＰ）分析を実行することに基づいて、ハイバンド残差信号を生成することと、
前記ハイバンド残差信号に基づいて位相調整パラメータを、エンコーダにおいて、決定することと、
前記位相調整パラメータに基づいて第１の信号の位相を調整することと、前記第１の信号は前記オーディオ信号のローバンド部分に関連付けられる、
前記オーディオ信号の符号化されたバージョンから前記オーディオ信号の再構成中に位相調整を可能にするために、前記オーディオ信号の前記符号化されたバージョンに前記位相調整パラメータを挿入することと、
ビットストリームの一部としてスピーチデコーダに前記位相調整パラメータを送信することと
を備える、方法。
【請求項２】
前記第１の信号は、高調波による拡張信号であるか、または前記高調波による拡張信号から生成されるハイバンド励起信号である、請求項１に記載の方法。
【請求項３】
前記第１の信号の特定の位相調整パラメータを決定することは、特定の周波数における前記ハイバンド残差信号の特定の位相を決定することを備え、前記特定の位相調整パラメータは、前記特定の周波数における前記ハイバンド残差信号の前記特定の位相に関連付けられる量子化された情報を含む、請求項１に記載の方法。
【請求項４】
前記特定の周波数における前記ハイバンド残差信号の前記特定の位相を決定することは、
前記ハイバンド残差信号を時間ドメインから周波数ドメインに変換するために、前記ハイバンド残差信号に対して変換演算を実行することと、
前記変換されたハイバンド残差信号の特定の変換係数を選択することと
を備え、
前記特定の変換係数は、前記特定の周波数に関連付けられ、前記特定の位相は前記特定の変換係数に基づいて決定される、請求項３に記載の方法。
【請求項５】
前記特定の周波数は、前記オーディオ信号のハイバンド部分におけるスピーチ基本ピッチ周波数の倍数に対応する、請求項３に記載の方法。
【請求項６】
前記位相調整パラメータは規則的な周波数間隔において決定される、請求項３に記載の方法。
【請求項７】
前記第１の信号の前記位相を調整することは、前記特定の位相調整パラメータに基づいて前記特定の周波数における前記第１の信号の第１の位相を調整することを備え、前記特定の周波数における前記第１の信号の前記第１の位相を調整することは、
前記第１の信号を時間ドメインから周波数ドメインに変換するために、前記第１の信号に対して変換演算を実行することと、
位相調整済み信号を生成するために、前記第１の信号が前記周波数ドメインにある間に、前記特定の周波数における前記第１の信号の前記第１の位相を、前記特定の周波数における前記ハイバンド残差信号の前記特定の位相に対応する調整済み位相に置き換えることと、
前記位相調整済み信号を前記周波数ドメインから前記時間ドメインに変換するために、前記位相調整済み信号に対して逆変換演算を実行することと
を備える、請求項３に記載の方法。
【請求項８】
前記ハイバンド残差信号のエネルギーレベルを近似する第１のエネルギーレベルを有する少なくとも第１の正弦波形を生成することと、
前記少なくとも１つの正弦波形の特定の位相を決定することと、ここにおいて、前記位相調整パラメータの特定の位相調整パラメータは、前記第１の正弦波形の前記特定の位相に少なくとも部分的に基づく、
前記第１の信号のエネルギーレベルを近似する第２のエネルギーレベルを有する少なくとも第２の正弦波形を生成することと、
前記第２の正弦波形と前記第１の信号との間のエネルギー差を近似する残差波形を生成することと、
再構成済み正弦波形を生成するために、前記特定の位相調整パラメータに基づいて前記第１の正弦波形を再構成することと、
位相調整済みの第１の信号を生成するために、前記残差波形と前記再構成済み正弦波形とを合成することと
をさらに備える、請求項１に記載の方法。
【請求項９】
ハイバンド残差信号に基づいて位相調整パラメータを決定するように構成される位相分析器と、前記ハイバンド残差信号は、オーディオ信号のハイバンド部分に対して実行される線形予測（ＬＰ）分析に基づく、
前記位相調整パラメータに基づいて第１の信号の位相を調整するように構成される位相調整器と、前記第１の信号は前記オーディオ信号のローバンド部分に関連付けられる、
前記オーディオ信号の符号化されたバージョンから前記オーディオ信号の再構成中に位相調整を可能にするために、前記オーディオ信号の前記符号化されたバージョンに前記位相調整パラメータを挿入するように構成されるマルチプレクサと
を備える、装置。
【請求項１０】
第１のＬＰ分析およびコーディングモジュールを含み、前記ハイバンド残差信号を生成するように構成される、ハイバンド分析モジュールと、
第２のＬＰ分析およびコーディングモジュールを含み、前記オーディオ信号の前記ローバンド部分に基づいてＬＰ残差信号を生成するように構成される、ローバンド分析モジュールと、
ビットストリームの一部としてスピーチデコーダに前記位相調整パラメータを送信するように構成される送信機と
をさらに備える、請求項９に記載の装置。
【請求項１１】
前記位相分析器は、特定の周波数における前記ハイバンド残差信号の特定の位相を決定するように構成され、特定の位相調整パラメータは、前記特定の周波数における前記ハイバンド残差信号の前記特定の位相に関連付けられる量子化された情報を含む、請求項９に記載の装置。
【請求項１２】
前記特定の周波数における前記ハイバンド残差信号の前記特定の位相を決定することは、
前記ハイバンド残差信号を時間ドメインから周波数ドメインに変換するために、前記ハイバンド残差信号に対して変換演算を実行することと、
前記変換されたハイバンド残差信号の特定の変換係数を選択することと、前記特定の変換係数は、前記特定の周波数に関連付けられ、前記特定の位相は前記特定の変換係数に基づいて決定される、
を備える、請求項１１に記載の装置。
【請求項１３】
デコーダを備え、前記デコーダは、
エンコーダから符号化されたオーディオ信号を受信することと、前記符号化されたオーディオ信号はハイバンド残差信号に基づく位相調整パラメータを備え、前記ハイバンド残差信号は、前記エンコーダにおいてオーディオ信号のハイバンド部分に対して行われる線形予測（ＬＰ）分析を介して生成される第１のハイバンド残差信号に基づく、
前記符号化されたオーディオ信号に基づいて、再構成された信号を生成することと、前記再構成された信号は、前記オーディオ信号のローバンド部分に関連付けられる、前記エンコーダにおいて生成された第１の信号の再構成されたバージョンに対応する、
前記再構成された第１の信号の位相を調整するために、前記再構成された信号に前記位相調整パラメータを適用することと、
前記位相調整済みの再構成された信号に基づいて、前記オーディオ信号を再構成することと
を行うように構成される、装置。
【請求項１４】
前記ＬＰ分析は、前記エンコーダのハイバンド分析モジュールのＬＰ分析およびコーディングモジュールによって実行され、
前記第１の信号は、前記エンコーダのローバンド分析モジュールによって実行されるＬＰプロセス中に生成されるＬＰ残差信号に関連付けられ、
前記再構成された信号は高調波による拡張信号である、請求項１３に記載の装置。
【請求項１５】
エンコーダから符号化されたオーディオ信号を、デコーダにおいて受信することと、前記符号化されたオーディオ信号はハイバンド残差信号に基づく位相調整パラメータを備え、前記ハイバンド残差信号は、前記エンコーダにおいてオーディオ信号のハイバンド部分に対して行われる線形予測（ＬＰ）分析を介して生成される第１のハイバンド残差信号に基づく、
前記符号化されたオーディオ信号に基づいて、再構成された信号を生成することと、前記再構成された信号は、前記オーディオ信号のローバンド部分に関連付けられる、前記エンコーダにおいて生成された第１の信号の再構成されたバージョンに対応する、
前記再構成された第１の信号の位相を調整するために、前記再構成された信号に前記位相調整パラメータを適用することと、
前記位相調整済みの再構成された信号に基づいて、前記オーディオ信号を再構成することと
備える、方法。